(57)【要約】【課題】  ＳＩＭを装着するＳＩＭホルダーにおいて、２台のＳＩＭホルダー相互間で、バリューデータの授受を容易、確実にできるＳＩＭホルダーと使用方法を提供する。【解決手段】  本発明のＳＩＭホルダー１は、ＳＩＭ２を着脱可能に装着し、インターフェースコネクタ２０を備えているＳＩＭホルダーが、さらに、インターフェース受けソケット２１を備えることにより、２台のＳＩＭホルダーを当該インターフェースコネクタとインターフェース受けソケットにより結合した状態で、ＳＩＭホルダー相互間でＳＩＭ２が保持するバリューデータの交換が可能にされていることを特徴とする。  本発明のＳＩＭホルダー１の使用方法は、バリューデータの授受指示を操作ボタンにより行うと、本人認証をした後に、一方のＳＩＭのバリューデータが他方のＳＩＭに送信されることを特徴とする。【選択図】    図１
2005346593.tif 000002
【特許請求の範囲】
【請求項１】
ＳＩＭを着脱可能に装着し、インターフェースコネクタを備えるＳＩＭホルダーが、さらに、インターフェース受けソケットを備えることにより、２台のＳＩＭホルダーを当該インターフェースコネクタとインターフェース受けソケットにより結合した状態で、ＳＩＭホルダー相互間でＳＩＭが保持するバリューデータの授受が可能にされていることを特徴とするＳＩＭホルダー。
【請求項２】
装着するＳＩＭが本人認証機能と暗号化機能を備えていることを特徴とする請求項１記載のＳＩＭホルダー。
【請求項３】
ＳＩＭが、ＩＳＯ７８１６−２、ＩＳＯ７８１６−３で規定する接触とＩＳＯ１４４４３で規定する非接触インターフェースを備えることを特徴とする請求項１記載のＳＩＭホルダー。
【請求項４】
ＳＩＭホルダーの短辺側の一端または長辺側の一側辺にインターフェースコネクタとインターフェース受けソケットを備えることを特徴とする請求項１記載のＳＩＭホルダー。
【請求項５】
ＳＩＭホルダーの短辺側の一端または長辺側の一側辺にインターフェースコネクタを備え、他の短辺側の一端または長辺側の一側辺にインターフェース受けソケットを備えることを特徴とする請求項１記載のＳＩＭホルダー。
【請求項６】
インターフェースコネクタがＵＳＢコネクタであり、インターフェース受けソケットがＵＳＢ受けソケットであることを特徴とする請求項１ないし請求項５のいずれか１の請求項に記載のＳＩＭホルダー。
【請求項７】
ＳＩＭを着脱可能に装着し、インターフェースコネクタとインターフェース受けソケットの双方を備えるＳＩＭホルダーを２台結合してする使用方法であって、２台のインターフェースコネクタとインターフェース受けソケットを結合した状態において、いずれかのＳＩＭホルダーにおいてバリューデータの授受指示をＳＩＭホルダーの操作ボタンにより行うと、一方のＳＩＭが有するバリューデータが他方のＳＩＭホルダーのＳＩＭに暗号化して送信されることを特徴とするＳＩＭホルダーの使用方法。
【請求項８】
ＳＩＭを着脱可能に装着し、インターフェースコネクタとインターフェース受けソケットの双方を備えるＳＩＭホルダーを２台結合してする使用方法であって、２台のインターフェースコネクタとインターフェース受けソケットを結合した状態において、いずれかのＳＩＭホルダーにおいてバリューデータの授受指示をＳＩＭホルダーの操作ボタンにより行うと、当該操作者が本人であることをＳＩＭが保持する本人認証データに基づいて判断した後に、一方のＳＩＭが有するバリューデータが他方のＳＩＭホルダーのＳＩＭに送信されることを特徴とするＳＩＭホルダーの使用方法。
【請求項９】
インターフェースコネクタがＵＳＢコネクタであり、インターフェース受けソケットがＵＳＢ受けソケットであることを特徴とする請求項７または請求項８記載のＳＩＭホルダーの使用方法。
【発明の詳細な説明】
【技術分野】
【０００１】
本発明は、ＳＩＭを着脱可能に装着するとともに、インターフェースコネクタを有して外部機器とデータ授受が可能なＳＩＭホルダー及びその使用方法に関する。特には、ＳＩＭホルダー相互間でバリューデータの確実な授受を可能にするため、個々のＳＩＭホルダーにインターフェースコネクタとインターフェース受けソケットの双方を持たせる技術に関する。
【背景技術】
【０００２】
近年、ＩＳＯ７８１６−２、ＩＳＯ７８１６−３で規定される接触や、さらに、ＩＳＯ１４４４３で規定する非接触インターフェースを備えるＩＣカードが実用されている。
また一方、ＵＳＢ（ユニバーサル・シリアル・バス）接触とのデュアルインターフェースＩＣカードが開発されている（特許文献１）。ＵＳＢインターフェースを持つＩＣカードは、パーソナルコンピュータ（ＰＣ）などのＵＳＢ対応機器との接続を容易にし、社員証カードなどでネットワークアクセス用ＩＤカードとして注目されはじめている。
【０００３】
他方、携帯電話機には小型のＳＩＭやＵＩＭ、ＵＳＩＭカードと呼ばれるセキュリティＩＤモジュールが組み込まれてきている。日本でも最新の携帯電話機に組み込まれて実用化されている。ＵＩＭ（Ｕｓｅｒ  Ｉｄｅｎｔｉｔｙ  Ｍｏｄｕｌｅ）は、携帯電話会社が発行する契約者情報を記録した小型のＩＣカードであって、携帯電話機に組み込んで利用者の識別に使用する。
【０００４】
これは同様の機能を持つＳＩＭ（Ｓｕｂｓｃｒｉｂｅｒ  Ｉｄｅｎｔｕｔｙ  Ｍｏｄｕｌｅ）から機能拡張が行われたもので、契約者情報以外に電話帳などのプライベート情報やクレジット決済用の個人識別情報などを暗号化して登録することが可能となっている。  ＳＩＭをベースにしていることからＵＳＩＭ（Ｕｎｉｖｅｒｓａｌ  ＳＩＭ）と呼ばれることもある。ＳＩＭはＧＳＭ携帯電話サービスの利用を目的とするが、ＵＩＭは、例えば、アメリカのｃｄｍａ２０００携帯電話機に差し込んで国際ローミングサービスを受けるといった使用方法が考えられている。
【０００５】
ＩＳＯ７８１６−２、ＩＳＯ７８１６−３で規定する接触とＵＳＢ接触とのデュアルインターフェースのＩＣカードは特許文献１に提案されている。また、本願出願人は、先に、ＩＳＯ７８１６−２、ＩＳＯ７８１６−３で規定する接触と、ＩＳＯ１４４４３非接触のインターフェースを備えるＳＩＭホルダーを、特許文献２、特許文献３において提案している。
【０００６】
例えば、特許文献２のＳＩＭホルダーは、図６の回路構成と外観を有するものである。  図６（Ａ）は、表面透視図であるが、ＳＩＭホルダー１は、ＵＳＢコネクタ２０の挿入方向とＳＩＭ２の挿入方向が直線状に構成されていて、右端の挿入口１５から挿入されたＳＩＭ２は、コンタクト端子板１２の下面側に入って固定されるようになっている。
ＳＩＭホルダー１は、アンテナコイル１１を有していて、その両端は、コンタクト端子板１２のＣ４，Ｃ８端子を介してＳＩＭ２に接続するようにされている。これにより、ＳＩＭ２がアンテナコイルを持たない場合でも、ＳＩＭホルダー１のアンテナコイル１１により、非接触通信が可能となる。
また、ＳＩＭ２のデータはコンタクトピンおよびコンタクト端子板１２を介して、ＵＳＢ／ＩＳＯ７８１６のＩ／Ｆ変換ＩＣ１０、ＵＳＢコネクタ２０に伝達される。
【０００７】
図６（Ｂ）は外観図であるがＵＳＢコネクタ２０部分が良く分かるように、図６（Ａ）とは逆向きにして裏面が図示されている。ＳＩＭホルダー１は、上蓋部１８と下側ケース部１９からなっている。ＵＳＢコネクタ２０は、断面矩形状に加工された中空金属端子であって、空洞状の内部には、２本の信号線とアース線、およびＶバス用接続線が設けられている。
【０００８】
ところで、このようなＳＩＭホルダー１は、高機能を有し各種の利用用途があるため、多方面で用いられるようになってきているが、ＳＩＭホルダー相互間でデータ交換する使用方法やＳＩＭホルダー自体の形態はあまり考慮されていなかった。
しかし、ＳＩＭのような小型サイズのＩＣカードが普及してくると、相互間でデータを交換する必要が生じてくる。特に、電子マネーや交通運賃、チケットなどのバリューデータがＳＩＭに保持されるようになると、大型の外部機器を介してデータ交換する以外に、近親者間で簡易かつ確実な方法で、データ交換できるシステムのニーズが生じてくる。
【０００９】
電子チケットを購入する場合の従来手段は、「チケットぴあ」を例とすると、会員登録したぴあ会員が「チケットぴあの店」にでかけ、専用端末にＭｙデジポケ番号や会員ＩＤ等を入力して、端末から専用ＩＣカードまたは携帯電話にダウンロードする方法が行われている。ただし、友人へチケットを送るような場合は、紙チケットを発券するのが原則であって、ＩＣカードや携帯電話間でのチケット交換には会員登録するような複雑な手続きが必要であった。
「チケットぴあ」以外の場合も、ＰＣやマルチメディア端末のような情報端末を用いてＩＣカードや携帯電話にダウンロードする方法に限られている。
【００１０】
本願のようにデータ交換のために、携帯情報端末間をコネクタにより接続する技術としては特許文献４がある。単なるデータの授受であれば同文献のような端末でも特に問題はないが、バリューデータの授受には、本人認証や暗号化などの機能を持たせないと、セキュリティー面では極めて危険である。
【００１１】
【特許文献１】特表２００２−５２５７２０号公報
【特許文献２】特開２００４−１１８７７１号公報
【特許文献３】特開２００４−１３３８４３号公報
【特許文献４】特開平１１−１２６１４２号公報
【発明の開示】
【発明が解決しようとする課題】
【００１２】
上記のように既存のシステムでは、バリューデータの授受は手間がかかり、一人が複数のチケットを購入して入場の際、急遽、バリューデータの交換が必要になるような場合には対応できない問題がある。また、特許文献４の情報端末では、利用者を特定できず権限の無い者による使用を排除できない。
そこで本願は、インターフェースコネクタを備えるＳＩＭホルダーにおいて、バリューデータの交換を容易に実施できる形態、および、バリューデータの交換の際に権限の無い者の使用を排除することを研究して、本発明の完成にいたったものである。
【００１３】
なお、本願においては、以降および特許請求の範囲において、ＳＩＭの語を用語として用いているが、実質的な機能はＵＩＭと同等であり、ＳＩＭとは、ＵＩＭやＵＳＩＭを含む小型ＩＣカードを総称するものとする。
また、ＳＩＭホルダーとは、ＳＩＭを装着して接触や非接触の通信機能等を実現する装置であって、前記、ＳＩＭリーダライタと当該機能においては同一装置のことである。
【課題を解決するための手段】
【００１４】
上記課題を解決するための本発明の要旨の第１は、ＳＩＭを着脱可能に装着し、インターフェースコネクタを備えるＳＩＭホルダーが、さらに、インターフェース受けソケットを備えることにより、２台のＳＩＭホルダーを当該インターフェースコネクタとインターフェース受けソケットにより結合した状態で、ＳＩＭホルダー相互間でＳＩＭが保持するバリューデータの授受が可能にされていることを特徴とするＳＩＭホルダー、にある。
【００１５】
上記課題を解決するための本発明の要旨の第２は、ＳＩＭを着脱可能に装着し、インターフェースコネクタとインターフェース受けソケットの双方を備えるＳＩＭホルダーを２台結合してする使用方法であって、２台のインターフェースコネクタとインターフェース受けソケットを結合した状態において、いずれかのＳＩＭホルダーにおいてバリューデータの授受指示をＳＩＭホルダーの操作ボタンにより行うと、一方のＳＩＭが有するバリューデータが他方のＳＩＭホルダーのＳＩＭに暗号化して送信されることを特徴とするＳＩＭホルダーの使用方法、にある。
【００１６】
上記課題を解決するための本発明の要旨の第３は、ＳＩＭを着脱可能に装着し、インターフェースコネクタとインターフェース受けソケットの双方を備えるＳＩＭホルダーを２台結合してする使用方法であって、２台のインターフェースコネクタとインターフェース受けソケットを結合した状態において、いずれかのＳＩＭホルダーにおいてバリューデータの授受指示をＳＩＭホルダーの操作ボタンにより行うと、当該操作者が本人であることをＳＩＭが保持する本人認証データに基づいて判断した後に、一方のＳＩＭが有するバリューデータが他方のＳＩＭホルダーのＳＩＭに送信されることを特徴とするＳＩＭホルダーの使用方法、にある。
【発明の効果】
【００１７】
本発明のＳＩＭホルダーは、インターフェースコネクタとインターフェース受けソケットの双方を備えるので、２台のＳＩＭホルダーをコネクタと受けソケットにより結合した状態で、ＳＩＭホルダー相互間でＳＩＭが保持するバリューデータの授受が機器を介さずに直接にできる。データ授受の場合、一般的には親機または子機との間をケーブルで接続することが必要になるが、そのような煩わしさから解消される。
本発明のＳＩＭホルダーの使用方法では、バリューデータの授受が、ＳＩＭの有する本人認証機能または暗号化機能を利用して行うことができるので、第三者による不正利用またはデータの盗聴を防止できる。
【発明を実施するための最良の形態】
【００１８】
図１は、ＳＩＭホルダーの実施形態を示す平面図、図２は、図１のＳＩＭホルダーの使用状態を示す図、図３は、他のＳＩＭホルダーの実施形態と使用状態を示す平面図、図４は、ＳＩＭホルダーの回路構成例を示す図、図５は、ＳＩＭホルダーの表示内容を説明する図、である。
なお以下、インターフェースコネクタおよびインターフェース受けソケットの具体例として、ＵＳＢコネクタとＵＳＢ受けソケットを例として説明することとする。
【００１９】
本発明のＳＩＭホルダーは、その構造に特徴があるので、まず形態面から説明することとする。ＳＩＭホルダーには、図１のように各種の実施形態がある。
図１（Ａ）のＳＩＭホルダー１は、ＳＩＭホルダーの短辺側の一端にＵＳＢコネクタ２０とＵＳＢ受けソケット２１の双方を備えている。ホルダー１の表面には、液晶ディスプレイ４と指紋センサ５、および操作ボタン４１，４２，４３等を有している。操作ボタン４１は電源のオン−オフフ、操作ボタン４２は表示選択、操作ボタン４３は動作決定のためのものである。液晶ディスプレイ４には、利用残高や使用履歴等が表示されている。
【００２０】
図１（Ｂ）のＳＩＭホルダー１は、ＳＩＭホルダー１の短辺側の一端にＵＳＢコネクタ２０を備え、他端にＵＳＢ受けソケット２１を備えている。ＵＳＢコネクタ２０と受けソケット２１を結ぶ線は、ＳＩＭホルダー１の長辺に対して平行となるようにされている。  図１（Ｃ）のＳＩＭホルダー１は、同様にＳＩＭホルダー１の短辺側の一端にＵＳＢコネクタ２０を備え、他端にＵＳＢ受けソケット２１を備える形態であるが、ＵＳＢコネクタ２０と受けソケット２１を結ぶ線は、ＳＩＭホルダー１の長辺に対して平行な位置関係にはない。
【００２１】
ＳＩＭホルダー１の使用状態は図２のようになる。図２（Ａ）は、図１（Ａ）のＳＩＭホルダー１の使用状態である。この場合、ＳＩＭホルダーの共通の短辺（ヘッド）側にＵＳＢコネクタ２０とＵＳＢ受けソケット２１を備えるので、ヘッドとヘッドを結合して使用できる。２台の液晶ディスプレイ４の表示面の天地が逆になるので、相手側と対面して使用する場合には便利と考えられる。
【００２２】
図２（Ｂ）は、図１（Ｂ）のＳＩＭホルダー１の使用状態である。この場合、ＳＩＭホルダーの１の短辺（ヘッド）側にＵＳＢコネクタを備え、他の短辺（テイル）側にＵＳＢ受けソケットを備えるので、２台のＳＩＭホルダーのヘッドとテイルを直線状に結合して使用できる。表示装置の表示面は同一方向となるので、一人で操作する場合には便利である。２台以上の連結も可能であり、直線状に多数台数を連結して、各ホルダーにバリューデータを配分するような使用方法も可能である。
【００２３】
図２（Ｂ）の場合、２台のＳＩＭホルダー間の接続箇所が１箇所で、図２（Ａ）の場合は、図中、ＡとＢの２箇所となるが１箇所の接続部があれば、相互のデータの授受には十分である。従って、図２（Ａ）のように接続箇所が２箇所生じる場合は、１箇所は物理的結合のみの役割であって特に機能させる必要はない。
図２（Ｃ）は、図１（Ｃ）のＳＩＭホルダー１の使用状態であって、図２（Ｂ）と同様の使用方法であるが、ヘッドとテイルを結合すると階段状の状態になる。
【００２４】
図３は、他のＳＩＭホルダーの実施形態と使用状態を示す平面図である。図３（Ａ）のように、このＳＩＭホルダー１では長辺側の一側辺にミニサイズＵＳＢコネクタ２０ｍとＵＳＢ受けソケット２１ｍを備えている。ＵＳＢコネクタには各種サイズのものがあり、一般的には、厚み４ｍｍ、幅１２ｍｍ、差し込み部１２〜１３ｍｍ突出させた角型タイプを使用するが、今後はより小型化すると考えられる。携帯機器向けに追加された小型のコネクタ（シリーズ・ミニＢ）であってもよく、図１（Ｄ）はそのような小型コネクタの使用を想定している。
図示していないが、長辺側の一端にＵＳＢコネクタ２０ｍを備え、他の長辺側の一端にＵＳＢ受けソケット２１ｍを備える形態も可能なことは明らかである。
【００２５】
図３（Ｂ）は、上記、図３（Ａ）のＳＩＭホルダー１の使用状態である。この場合、ＳＩＭホルダー１の共通の長辺側にＵＳＢコネクタ２０ｍとＵＳＢ受けソケット２１ｍを備えるので、長辺側の辺と辺を結合して使用する。この場合は２台以上の連結を目的としない。図２（Ａ）と同様に、２台の液晶ディスプレイ４の表示の天地が逆になるので、相手側と対面して使用する場合には便利である。
【００２６】
ＳＩＭホルダー１の回路は例えば、図４のようにすることができる。ＳＩＭ２は着脱可能にＳＩＭホルダー１に装着するもので、電子マネー２０１、電子チケット２０２、指紋テンプレート２０３、指紋照合エンジン２０４等の各種アプリケーションを備えている。図示してないが、ＳＩＭ２のＩＣチップが暗号化機能を備えることも通常である。
ＳＩＭ２は、その接触端子板２ｔの８端子がリーダライタ端子板１２を介してＳＩＭホルダー１に接続する構造にされている。また、リーダライタ端子板１２のＣ４，Ｃ８端子によりＳＩＭホルダー１のケーシング内に設けるアンテナコイル１１に接続している。
アンテナコイル１１は、ＩＳＯ１４４４３ＴｙｐｅＡ，Ｂに準拠した非接触通信を行うためのものである。
【００２７】
ＳＩＭホルダー１は、制御用ＩＣチップ３を有している。制御用ＩＣチップ３はＣＰＵとメモリを有すると共に、ＩＳＯ７８１６ドライバ３１と液晶ディスプレイ駆動用の液晶ドライバ３２、および指紋センサドライバ３３と指紋画像処理ソフト３４を有している。ただし、これらの全てが一体にＩＣチップ化されているものには限られない。
ＵＳＢポート２５は、ＵＳＢコネクタ２０とＵＳＢ受けソケット２１の接続部を意味する。ＵＳＢポート２５が授受する信号は、ＵＳＢハブ６、ＵＳＢ／ＩＳＯ７８１６変換ＩＣ１０を介して制御用ＩＣチップ３とＳＩＭ２に送信される。
【００２８】
ＳＩＭホルダー１は、指紋センサ５や液晶ディスプレイ４、および制御用ＩＣチップ３等の駆動電源としてバッテリ（二次電池）７を備えることが好ましい。バッテリ７には薄型のリチウムイオン電池を好ましく使用でき、ＵＳＢバス電源により充電可能にすることもできる。指紋センサ５は、ＳＩＭホルダー１を扱う者を認証するために設けられる。
ＳＩＭホルダー１を扱うことが許可された者の指紋情報（バイオメトリックスデータ）がＳＩＭ２に記憶されていて、指紋センサ５により読み取ったデータが指紋画像処理されて、ＳＩＭ２によって認証されないかぎり、ＳＩＭホルダー１が動作しないようにされている。
【００２９】
指紋センサ５には、指先をセンサに押圧する平面型と、センサ面を指先で擦過するスウィープ型があるが、いずれであっても良い。ただし、スウィープ型の場合は設置面積が小さいのでＳＩＭホルダー１の小型化には好ましい。
指紋センサ５には、静電容量型指紋センサを好ましく使用できる。このものの平面型の場合は、指紋による凹凸を電気信号として検出するセンサとして、指紋による凹凸を電気信号に変換するセンサ回路を多数敷きつめ、指を接触させることにより指紋を読み取るものである。スウィープ型指紋センサは、数ｍｍ幅の帯状のセンサ面を擦過することだけで、指紋の特徴を認識する。擦過速度や押圧にむらがあっても、修正機能がはたらいて正しい指紋パターンが得られる。スウィープ型指紋センサの市販品としては、ＡＴＭＥＬ社の「ＦＣＤ４Ｂ１４」（Ｆｉｎｇｅｒ  Ｃｈｉｐ）等があり、本発明のＳＩＭホルダーに利用できる。
【００３０】
指紋センサ５により検出された指紋データは指紋画像処理ソフト３４に送られてパラメータを演算する。パラメータとは指紋の特徴部分やリレーションであり、例えば、指紋の線の切れている部分（端点）とか分岐点、あるいは指紋の線の曲率、特徴点と特徴点を結ぶ線を横切る隆線の数をリレーションとしてとらえることである。このようにして得られたパラメータを、ＳＩＭ２内の指紋テンプレート２０３に蓄積している画像処理済みの利用者の指紋特徴データと照合して、ＳＩＭホルダー１を操作する者が許可された者か否かの検証を行う。指紋テンプレート２０３は指紋の画像処理データのままでは情報量が大き過ぎるので、あらかじめ画像処理を済ませて蓄積したものである。
【００３１】
次に、送られてきた指紋パラメータと指紋テンプレート２０３に蓄積されているデータとの照合を指紋照合エンジン２０４を用いて行う。指紋センサ５で得られた指紋データが、あらかじめ指紋テンプレート２０３に登録され許可された登録利用者である場合は、ＳＩＭホルダー１の次の動作が可能となる。
指紋テンプレート２０３は、複数人の人間の手指１０本程度の指紋の登録を容易に行うことができる。市販品によっても短時間に照合結果が得られるようになってきている。
なお、ＳＩＭホルダー１がＵＳＢコネクタ２０によりＰＣなどに接続されているとき、指紋センサ５は、リレー９、ＵＳＢハブ６を経由してＰＣに接続する。その際は、ＰＣへのアクセス権限の認証を行うことができる。
【００３２】
本発明のＳＩＭホルダー１が指紋センサを備える場合は、上記のようにバイオメトリデータに基づき本人認証を行うことができ、本人認証がされないかぎり、バリューデータの交換を不可能にすることができる。指紋センサ５を備えない場合であっても、暗証番号を入力して、その可否をＳＩＭ２が判断し、それにより本人認証ができる。この場合、ＳＩＭホルダー１は入力キーパッド等を備えないので、表示画面において、暗証番号の数値を順次選択し入力する方式を採用することになる。このように、本人認証機能を備えれば権限のない操作者の使用を排除でき、バリューデータの盗用を防止できる。
【００３３】
ＳＩＭホルダー１は、ポリカーボネートやポリプロピレン、アクリル樹脂等の射出成型により上蓋部１８と下側ケース部１９を形成し、その下側ケース部等が形成する空間内部に接触端子板１２や回路基板、アンテナコイル１１を内蔵させることができる。
上蓋部１８のＳＩＭ挿入口１５側と、ＳＩＭ２の停止端部までは薄肉に成形してＳＩＭを挿入して固定できるようにするのが好ましい。上蓋部１８には、ＳＩＭ取り出しスライド（不図示）やひも通し穴１４を設けることができる（図６参照。）
【００３４】
次に、ＳＩＭホルダー１の使用方法について具体的に説明する。ただし、各種の使用方法があるので、この例に限定されるものではない。
ＳＩＭホルダー１の使用場面の１は、電子チケットの購入場面である。この場合、電子チケットぴあ等で既に行われているように、（１）ＳＩＭホルダー１をＰＣやマルチメディア情報端末等に接続する。（２）電子チケットサービスのウェブページ、あるいはサービス画面にログインする。このとき、ＳＩＭホルダー１に装着したＳＩＭ内に格納されている電子チケットサービス会員の認証機能を利用する。この認証は指紋センサ等を利用するものではなく、ＳＩＭ内の認証データが情報端末に送信されて、端末側で認証が行われる。（３）サビース画面にしたがって、チケット検索、チケット選択、チケット申込み、決済を行い、電子チケットをＳＩＭ２にダウンロードする。
【００３５】
ＳＩＭホルダー１の使用場面の２は、ＳＩＭホルダー１間でバリューデータを授受する場面である。図５の表示内容と図１を参照して説明する。
（１）電源ボタン４１を押下し、ＳＩＭホルダー１を立ち上げる。このとき、液晶ディスプレイ４に表示される画面がメニュー画面（図５（Ａ））である。（２）メニュー画面表示時に表示選択ボタン４２を一度ずつ押下することで、チケット確認→チケット（バリューデータ）送信と、選択されるアプリケーションを変更できる。（３）チケットを送信する側のＳＩＭホルダー１はチケット送信を選択し、動作決定ボタン４３を押下すると、チケット一覧画面（図５（Ｂ））が表示される。なお、チケットの枚数が多い場合は、チケット一覧画面表示時に表示選択ボタン４２を押下することで、画面がスクロールする。
【００３６】
（４）次に送信側が送信するチケットを選択ボタン４２で選択し、動作決定ボタン４３を押下することで、送信するチケットの詳細がチケット詳細画面（図５（Ｃ））として表示される。元に戻す場合は、表示選択ボタン４２を押下することで、チケット一覧画面（図５（Ｂ））に戻る。送信してよければ動作決定ボタン４３を押下する。
この動作後、受信側はデータ受信画面（図５（Ｄ））となり、チケット情報を受信し、チケット情報は受信後に移動し、チケット情報の送受信（授受）が完了する。一定時間経過後、チケット一覧画面（図５（Ｂ））に戻る。
【００３７】
以上の説明においては、インターフェースコネクタとインターフェース受けソケットについては、ＵＳＢコネクタとＵＳＢ受けソケットを例として説明しているが、ＩＥＥＥ１３９４等の将来的に採用の見込まれるインターフェース規格にも適用できることは自明のことである。
また、バリューデータとしてチケットを例として説明しているが、チケットに限定されるものではなく、当該データを保持することにより一定の権益、価値が得られるデータをいう。したがって、電子マネーも含まれるものである。
【図面の簡単な説明】
【００３８】
【図１】ＳＩＭホルダーの実施形態を示す平面図である。
【図２】ＳＩＭホルダーの使用状態を示す図である。
【図３】他のＳＩＭホルダーの実施形態と使用状態を示す平面図である。
【図４】ＳＩＭホルダーの回路構成例を示す図である。
【図５】ＳＩＭホルダーの表示内容を説明する図である。
【図６】特許文献２のＳＩＭホルダーの回路構成と外観を示す図である。
【符号の説明】
【００３９】
１    ＳＩＭホルダー
２    ＳＩＭ
３    制御用ＩＣチップ
４    液晶ディスプレイ
５    指紋センサ
６    ＵＳＢハブ
７    電源バッテリ（二次電池）
８，９    リレー
１０    ＵＳＢ／ＩＳＯ７８１６変換ＩＣ
１１    アンテナコイル
１２    リーダライタ端子板、コンタクト端子板
１４    ひも通し穴
１５    挿入口
１８    上蓋部
１９    下側ケース部
２０    インターフェースコネクタ、ＵＳＢコネクタ
２１    インターフェース受けソケット、ＵＳＢ受けソケット
２５    ＵＳＢポート
４１    電源ボタン
４２    表示選択ボタン
４３    動作決定ボタン
【図１】
2005346593.tif 000003
【図２】
2005346593.tif 000004
【図３】
2005346593.tif 000005
【図４】
2005346593.tif 000006
【図５】
2005346593.tif 000007
【図６】
2005346593.tif 000008